(57)【要約】【課題】簡単な構成で、消費者に対するアピール度を向上させることができる斬新な開閉形態を有する包装容器を提供する。【解決手段】包装容器としてのパッケージ２は、側部に開口端２０を有する直方体形状のアウタボディ４と、このアウタボディ４内に開口端２０から引き出し可能に収容され、その内部にインナパック８を保持したインナケース６とを有し、インナケース６は、収容状態にて開口端２０から突出し、この開口端２０に対する蓋となる横蓋体２５を備えている。【選択図】図２
2009292513.tif 000002
【特許請求の範囲】
【請求項１】
側部に開口端を有した直方体形状のアウタボディと、
前記アウタボディ内に収容され、被収容体を保持したインナケースと
を備え、
前記インナケースは前記アウタボディに対し、前記アウタボディの幅方向に往復動自在に配設され、前記インナケースの一側部が前記開口端から引き出し可能であることを特徴とする包装容器。
【請求項２】
前記インナケースは、前記アウタボディ内に収容された状態で、前記開口端から突出し且つ前記開口端に対する蓋となる横蓋体を含むことを特徴とする請求項１に記載の包装容器。
【請求項３】
前記インナケースは、前壁、後壁、底壁および２つの側壁を有するケース本体を更に含み、
前記横蓋体は、前記アウタボックスの前記開口端側に位置する側壁に被せられていることを特徴とする請求項２に記載の包装容器。
【請求項４】
前記アウタボディの前記開口端からの前記インナケースの抜け止めをなすストッパ手段を更に具備したことを特徴とする請求項１〜３の何れかに記載の包装容器。
【請求項５】
前記ストッパ手段は、前記インナケースの他側部に設けられ、前記インナケースの引き出し方向とは交差する方向に突出した耳片と、前記アウタボディ内に設けられ、前記開口端から前記耳片に向けて延び、前記耳片と係合可能な延出片とを含み、この延出片は前記アウタボディと前記インナケースとの間に挟み込まれている
ことを特徴とする請求項４に記載の包装容器。
【請求項６】
前記前壁および前記後壁のうち少なくとも一方の上部には略矩形状の切欠凹所が設けられていることを特徴とする請求項３に記載の包装容器。
【請求項７】
更に、前記アウタボディの前記開口端に沿って配設されているティアテープを有する透明なフィルムで全体が包み込まれていることを特徴とする請求項１〜６の何れかに記載の包装容器。
【発明の詳細な説明】
【技術分野】
【０００１】
本発明は、包装容器に関し、より詳しくは、スライドボックス型の包装容器に関する。
【背景技術】
【０００２】
被収容物を収容する包装容器としては、被収容物の性質を考慮し、種々のものが開発されている。被収容物が、例えば、フィルタシガレットやシガレット等のたばこ商品である場合、その包装容器としては、ヒンジリッド型の包装容器が多用されている。
ここで、ヒンジリッド型の包装容器としては、例えば、特許文献１に示される紙巻き煙草などのためのヒンジ蓋付きボックスのようなヒンジリッド型包装容器が各種提案されている。
【０００３】
従来公知のヒンジリッド型包装容器は、ボックス形状のアウタボディを含み、アウタボディはその上端に開口端を有する。アウタボディはその内部にインナパックを収容し、このインナパックは紙巻き煙草の束と、この煙草の束を包み込む内包材とを有する。
アウタボディの開口端はその後縁にヒンジを介してボックス形状のリッドを有し、リッドはヒンジを中心に回動し、開口端を開閉可能である。
【特許文献１】特開平８−５８７７７号公報
【発明の開示】
【発明が解決しようとする課題】
【０００４】
ところで、従来公知のヒンジリッド型包装容器は、長年使用されていることから、その開閉形態は消費者にとって馴染みがあるものの、消費者の購買意欲を促進させるアピール度に乏しい。
本発明は、上記の事情に基づいてなされたもので、その目的とするところは、簡単な構成で、消費者に対するアピール度を向上させることができる斬新な開閉形態を有する包装容器を提供することにある。
【課題を解決するための手段】
【０００５】
上記目的を達成するために、請求項１の本発明の包装容器は、側部に開口端を有した直方体形状のアウタボディと、前記アウタボディ内に収容され、被収容体を保持したインナケースとを備え、前記インナケースは前記アウタボディに対し、前記アウタボディの幅方向に往復動自在に配設され、前記インナケースの一側部が前記開口端から引き出し可能であることを特徴とするものである。
【０００６】
請求項２の本発明の包装容器は、請求項１に記載の包装容器において、前記インナケースは、前記アウタボディ内に収容された状態で、前記開口端から突出し且つ前記開口端に対する蓋となる横蓋体を含むことを特徴とする。
請求項３の本発明の包装容器は、請求項２に記載の包装容器において、前記インナケースは、前壁、後壁、底壁および２つの側壁を有するケース本体を更に含み、前記横蓋体は、前記アウタボックスの前記開口端側に位置する側壁に被せられていることを特徴とする。
【０００７】
請求項４の本発明の包装容器は、請求項１〜３の何れかに記載の包装容器において、前記アウタボディの前記開口端からの前記インナケースの抜け止めをなすストッパ手段を更に具備したことを特徴とする。
請求項５の本発明の包装容器は、請求項４に記載の包装容器において、前記ストッパ手段は、前記インナケースの他側部に設けられ、前記インナケースの引き出し方向とは交差する方向に突出した耳片と、前記アウタボディ内に設けられ、前記開口端から前記耳片に向けて延び、前記耳片と係合可能な延出片とを含み、この延出片は前記アウタボディと前記インナケースとの間に挟み込まれていることを特徴とする。
【０００８】
請求項６の本発明の包装容器は、請求項３に記載の包装容器において、前記前壁および前記後壁のうち少なくとも一方の上部には略矩形状の切欠凹所が設けられていることを特徴とする。
請求項７の本発明の包装容器は、請求項１〜６の何れかに記載の包装容器において、更に、前記アウタボディの前記開口端に沿って配設されているティアテープを有する透明なフィルムで全体が包み込まれていることを特徴とする。
【発明の効果】
【０００９】
請求項１乃至請求項７に記載の本発明によれば、被収容体を保持したインナケースをアウタボディから横にスライドさせることができ、ユニークな開閉形態を有するので消費者へのアピール性の向上が図れる。
請求項２または請求項３に記載の本発明によれば、インナケースは横蓋体を含むので、この横蓋体をつまむだけで容易にインナケースをアウタボディから引き出すことができ、被収容体の取り出し性が向上する。また、この横蓋体は、アウタボディの開口端を閉じるので、包装容器中の被収容体を外界から遮断でき、被収容体の保存性が向上する。
【００１０】
請求項４に記載の本発明によれば、インナケースをアウタボディから所定長さ引き出したところでインナケースのスライド量を規制でき、インナケースがアウタボディから抜け落ちることを有効に防止することができる。
請求項５に記載の本発明によれば、ストッパ手段を簡便に構成することができる。また、延出片が、アウタボディとインナケースとの間に挟まれており、インナケースと常に接触していることから、インナケースの往復動に対して抵抗となり、インナケースが不所望にアウタボディから突出することを抑制する。
【００１１】
請求項６に記載の本発明によれば、更に、インナケースの上部が切り欠かれており、被収容体の取り出しが容易となる。
請求項７に記載の本発明によれば、更に、包装容器全体がフィルムで包装されるので、被収容体への悪戯を防止するのに役立つ。また、ティアテープがアウタボディの開口端に沿って配設されているので、ティアテープを引きはがすだけでインナケースの一側部つまり横蓋体が露出する。よって、この一側部つまり横蓋体をつまむことによりインナケースをスライドさせることができ、フィルム全体を除去する必要がない。
【発明を実施するための最良の形態】
【００１２】
以下、本発明に係る包装容器の実施の形態を、図面を参照して説明する。
本発明が適用される包装容器としては特に限定はされないが、例えば、図１，２に示すようなフィルタシガレットやシガレット等のたばこ商品のパッケージに適用した場合を例に説明する。
このパッケージ２は、側部に開口端２０を有した直方体形状のアウタボディ４と、このアウタボディ４内に収容され、アウタボディ４の幅方向に往復動自在に配設されているインナケース６とを含む。パッケージ２は、たばこ商品のインナパック８を収容可能な大きさを有し、このインナパック８は、例えば、長さが８５ｍｍのキングサイズの２０本のたばこ商品を内包材により包み込んだものである。より詳しくは、内包材は、紙と、この紙の表面に蒸着されたアルミニウムの膜とを含む。内包材のアルミニウムの膜はたばこの束を湿気から保護するばかりでなく、たばこ商品の束、すなわち、個々のたばこ商品からの芳香の放出を防止する。内包材には上述したアルミニウム蒸着紙に代えて、積層紙を使用することもでき、この積層紙はその内部に湿気や芳香の通過を防止する遮蔽層を有する。
【００１３】
アウタボディ４は、図３に示すように、前壁１０、後壁１２、底壁１４、頂壁１６および側壁１８を有する全体として直方体形状の箱体である。そして、アウタボディ４の一方の側面は開口している。つまり、側壁１８の反対側は開口端２０となっている。また、この開口端２０においては、前壁１０および後壁１２に沿う開口縁に延出帯（延出片）２２がそれぞれ設けられている。これら延出帯２２は、より詳しくは、図４に示すように、前壁１０および後壁１２において、開口端２０の開口縁からアウタボディ４の幅方向内側（図４中矢印Ｃ方向）に向かって延びている帯状体である。そして、延出帯２２はアウタボディ４の前後方向（の厚み方向）内側へ向かって癖を付けて折り曲げられている。つまり、アウタボディ４内に配設されるインナケース６を挟み込む方向（図４中矢印Ｄ方向）に付勢されている。
【００１４】
インナケース６は、インナパック８を収容するケース本体２４と、アウタボディ４の開口を閉じる横蓋体２５とを有している。
ケース本体２４は、図３に示すように、前壁２６、後壁２８、底壁３０および２つの側壁３２，３４を有する略直方体形状の箱体であり、上部が開口している。このケース本体２４の内部は、インナパック８を収容できるスペースを有している。
【００１５】
前壁２６および後壁２８は、図３から明らかなように、上部に略矩形状の切欠凹所３６，３８を有しており、この切欠凹所３６，３８は全体として略矩形形状をなしている。
一方の側壁３２は、アウタボディ４内に位置する側の側壁であり、矩形形状をなしている。そして、側壁３２は、前壁２６および後壁２８側の前縁および後縁の上下部分にそれぞれ２つずつ計４つの耳片４０を有している。より詳しくは、図５に示すように、耳片４０は矩形形状をなしており、ケース本体２４の幅方向、つまり、図５中矢印Ｅ方向および矢印Ｆ方向に僅かに突出している。これらの耳片４０は、アウタボディ４の延出帯２２の先端と係合する。つまり、ケース本体２４は、アウタボディ４内に位置する側部に、アウタボディ４の開口からのケース本体２４の抜け止めをなすストッパとして機能する耳片４０を含んでいる。
【００１６】
他方の側壁３４は、側壁３２の反対側に位置し、矩形形状をなしている。また、底壁３０は、矩形形状をなしており、ケース本体の底部を形成している。
横蓋体２５は、矩形形状の横板４２と、横板４２の外周縁部を起立させた外周縁４４とを有している。つまり、横蓋体２５は、内側に矩形形状の凹部４６を備えている。この凹部４６の平面視形状は、ケース本体２４の側壁３４と同一形状であり、凹部４６には、ケース本体２４の他方の側部が嵌合される。また、横蓋体２５の外周縁４４の先端は、アウタボディ４における開口端２０の開口縁全体と合致するように設定されている。これにより、横蓋体２５により、アウタボディ４の開口を閉じることができる。
【００１７】
パッケージ２は、アウタボディ４に対応するアウタボディ用ブランク４８と、ケース本体に対応するケース用ブランク５０と、横蓋体２５に対応する蓋用ブランク５２とから形作ることができる。
アウタボディ用ブランク４８は、図６に示されるように、アウタボディ４の後壁１２となる後壁パネル５４を有しており、後壁パネル５４の一方の側縁（例えば、図６中左側）に後壁１２側の延出帯２２となる延出帯フラップ５６が連なっている。また、後壁パネル５４の上部には、頂壁１６となる頂壁パネル５８が連なり、後壁パネル５４の下部には、底壁１４となる底壁パネル６０が連なっている。更に、後壁パネル５４には、延出帯フラップ５６とは反対側に位置してアウタボディ４の側壁１８となる側壁パネル６２が連なっている。側壁パネル６２には、後壁パネル５４とは反対側に位置してアウタボディ４の前壁１０となる前壁パネル６４が連なっている。この前壁パネル６４には、側壁パネル６２とは反対側に位置して前壁１０側の延出帯２２となる延出帯フラップ６６が連なっている。また、前壁パネル６４の上部には、頂壁パネル５８に対するインナトップフラップ６８が連なっている。このインナトップフラップ６８には、側壁パネル６２の上方に位置して側壁パネル６２に重ね合わされるインナサイドフラップ７０が連なっている。一方、前壁パネル６４の下部には、底壁パネル６０に対するインナボトムフラップ７２が連なっている。このインナボトムフラップ７２には、側壁パネル６２の下方に位置して側壁パネル６２に重ね合わされるインナサイドフラップ７４が連なっている。
【００１８】
ケース用ブランク５０は、ケース本体２４の前壁２６および後壁２８となる前壁パネル７６および後壁パネル７８を有し、これらパネル７６，７８はケース本体２４の底壁３０となる底壁パネル８０を介して相互に接続されている。後壁パネル７８の一方の側縁（図７中右側）には、一方の側壁３２となる側壁パネル８２が連なっており、後壁パネル７８の他方の側縁（図７中左側）には、他方の側壁３４となる側壁パネル８４が連なっている。また、前壁パネル７６の一方側の側縁には、側壁パネル８２と対するインナサイドフラップ８６が連なっており、前壁パネル７６の他方側の側縁には、側壁パネル８４と対するインナサイドフラップ８８が連なっている。このインナサイドフラップ８６およびインナサイドフラップ８８には、それぞれ、底壁パネル８０の両側に位置して各側壁パネル８２，８４に重ね合わされるインナボトムフラップ９０，９２が連なっている。
【００１９】
ここで、後壁パネル７８の上部および前壁パネル７６の下部には、略矩形状の切欠９４，９６が形成されており、この切欠９４，９６は、切欠凹所３６，３８となる。
また、後壁パネル７８と側壁パネル８２との間、および、前壁パネル７６とインナサイドフラップ８６との間において、図７中二重線で示した折り込み線と重なり合うようにし縦長のＣ字状に切り込まれた切込み９８が設けられている。切込み９８は、ケース用ブランク５０を折り込み線に沿って折り込んだ際に前壁パネル７６および後壁パネル７８側に僅かに突出し、上述した耳片４０となる。
【００２０】
蓋用ブランク５２は、横蓋体２５の横板４２となる横板パネル１００を有し、横板パネル１００の上下には、横蓋体２５の上端および下端の外周縁４４となる外周縁フラップ１０２，１０４がそれぞれ連なっている。また、外周縁フラップ１０２，１０４には、横板パネル１００の反対側に位置し、外周縁フラップ１０２，１０４に対応して横蓋体２５の外周縁４４の内面となるインナトップフラップ１０６およびインナボトムフラップ１０８がそれぞれ連なっている。
【００２１】
一方、横板パネル１００の両側には、横蓋体２５の両側部の外周縁４４となる外周縁フラップ１１０，１１２がそれぞれ連なっている。また、外周縁フラップ１１０，１１２には、横板パネル１００の反対側に位置し、外周縁フラップ１１０，１１２に対応して横蓋体２５の外周縁４４の内面となるインナサイドフラップ１１４，１１６がそれぞれ連なっている。更に、外周縁フラップ１１０，１１２の上下には、外周縁フラップ１０２，１０４と重ね合わされるインナサイドフラップ１１８がそれぞれ連なっている。
【００２２】
本実施例の場合、ブランク４８，５０，５２は紙材からなり、それらの秤量は１８０〜２７０ｇ／ｍ２、それらの厚みは０．２〜０．５ｍｍである。なお、具体的には、ブランク４８，５０，５２はカード紙、マニラボール紙等の何れであってもよい。上述したブランク４８，５０，５２は、図６〜８中二重線で示した折り込み線からそれぞれ折り込まれて、アウタボディ４、ケース本体２４、横蓋体２５がそれぞれ成形され、この後、これらが組み付けられることにより、図１に示すような横蓋体２５を閉じた状態のパッケージ２が得られる。
【００２３】
より詳しくは、ケース用ブランク５０にインナパック８が組み合わされる。その後インナパック８を囲繞するようにケース用ブランク５０の折り込みがなされ、インナパック８を収容するケース本体２４が得られる。
一方、別工程にて蓋用ブランク５２の折り込みがなされ、横蓋体２５が用意される。そして、この横蓋体２５の凹部４６に、インナパック８を収容しているケース本体２４の他方の側部が嵌合され糊付けされる。
【００２４】
次に、アウタボディ用ブランク４８において、まず、両側の延出帯フラップ５６，６６が折り込まれる。その後、横蓋体２５を備え且つインナパック８を収容したケース本体２４が、このアウタボディ用ブランク４８に載置され、公知の如く、かかるケース本体２４の回りにアウタボディ用ブランク４８を折り込むことで、横蓋体２５付きのケース本体２４をアウタボディ４により囲繞した図１に示すパッケージ２が成形される。
【００２５】
このようにしてパッケージにたばこ商品が包装されると、この後、個々のパッケージは、例えば、透明フィルムで外包される。図１に示すように、この透明フィルム１２０には、アウタボディ４の開口端２０に沿って配設されているティアテープ１２２を備えている。
このパッケージ２を購入した消費者は、まず透明フィルム１２０をティアテープ１２２に沿って開封する。そして、露出した横蓋体２５をつまみながら横蓋体２５に連結されているケース本体２４をアウタボディ４から横方向に引き出す。これにより、図２に示すようにインナパック８がケース本体２４とともにアウタボディ４から露出するので、インナパック８の内包材を破いて、中からたばこ商品を取り出すことができる。その後、ケース本体２４をアウタボディ４内に戻せば、パッケージ２は、たばこ商品のケースとして使われる。
【００２６】
ここで、アウタボディ４の開口端２０の前壁１０側と後壁１２側には延出帯２２が配設されており、この延出帯２２はアウタボディ４の内方に向けて起き上がるような癖を付けて折り曲げられている。このため、延出帯２２の先端はケース本体２４の前壁２６および後壁２８に沿っている。この状態でケース本体２４をアウタボディ４から引き出していくと、延出帯２２の先端がケース本体２４の一方の側壁３２に設けられた耳片４０に当接し、それ以上はケース本体２４が進まなくなる。つまり、延出帯２２と耳片４０との係合により、インナケース６のスライド量は規制される。
【００２７】
また、延出帯２２の先端が常にケース本体２４に接触しているためケース本体２４がスライドすることに対する抵抗となる。一方、ケース本体２４の耳片４０もアウタボディ４の前壁１０および後壁１２の内面に当接しているので、ケース本体２４がスライドすることに対する抵抗となる。このため、これら延出帯２２および耳片４０の働きにより、ケース本体２４が不所望に移動することは防止される。
【００２８】
以上のように、本実施例におけるパッケージ２においては、横蓋体２５をつまんでケース本体２４を引き出し可能であるので、アウタボディ４の側壁１８に孔をあけてケース本体２４を押し出す必要がない。このため、アウタボディ４の開口端２０に沿って配設されているティアテープ１２２を剥がすだけで横蓋体２５の外周縁４４が露出し、横蓋体２５を容易につまむことができ、透明フィルム全体を除去する必要がない。また、横蓋体２５の凹部４６にもたばこ商品が入り込んだ形となっているので、パッケージ２の幅方向でみて横蓋体２５の外周縁４４に対してつまみ易い寸法を確保しつつ、パッケージ２の全体の幅方向の寸法は、２０本のたばこ商品を収容する他のタイプのパッケージと同等の寸法となる。
【００２９】
本発明は、上述した一実施例に制約されるものではなく、種々の変形が可能である。例えば、延出帯２２は、前壁１０および後壁１２の開口端２０の全体にわたって設ける態様に限定されるものではなく、耳片４０に対応する位置にだけ配設する態様としても構わない。
また、本実施例では、長さが８５ｍｍのキングサイズのたばこ商品を２０本収容するインナパック８を包装する大きさのパッケージについて説明したが、長さが９５ｍｍ〜１００ｍｍ程度のスーパーキングサイズのたばこ商品に対応する大きさとしても構わない。
【００３０】
また、本発明の包装容器は、たばこ商品用のパッケージに限定されるものではなく、たばこの他、菓子などの食品等各種商品のパッケージにも採用することができる。
【図面の簡単な説明】
【００３１】
【図１】実施例に係るパッケージを示す斜視図である。
【図２】実施例に係るパッケージのインナケースを引き出した状態を示す斜視図である。
【図３】実施例に係るパッケージの一部切欠分解斜視図である。
【図４】図３中のＡ−Ａ線断面図である。
【図５】図３中のＢ矢視図である。
【図６】アウタボディを構成するブランクの展開図である。
【図７】ケース本体を構成するブランクの展開図である。
【図８】横蓋体を構成するブランクの展開図である。
【符号の説明】
【００３２】
２            パッケージ
４            アウタボディ
６            インナケース
８            インナパック
２０          開口端
２２          延出帯
２４          ケース本体
２５          横蓋体
４０          耳片
１２０        透明フィルム
１２２        ティアテープ
【図１】
2009292513.tif 000003
【図２】
2009292513.tif 000004
【図３】
2009292513.tif 000005
【図４】
2009292513.tif 000006
【図５】
2009292513.tif 000007
【図６】
2009292513.tif 000008
【図７】
2009292513.tif 000009
【図８】
2009292513.tif 000010